(57)【要約】【課題】  楽譜が見易くなるように調号表示する調号表示装置を実現する。【解決手段】  曲データ中に含まれ、調号および長調／短調を指定する調性メタイベントに従って楽譜上に調号を表示する調号表示処理は、第１調整処理および第２調整処理を備える。第１調整処理では、調号の数が１つ違うだけの、調性感の変化が少ない転調の調号の表示を省略する。第２調整処理では、所定小節数以下の短い転調区間を曲全体の調号にして転調の調号の表示を省略する。こうすることで音楽的には厳密性を欠くものの、楽譜が見易くなるように調号表示することができる。【選択図】  図６
2006106314.tif 000002
【特許請求の範囲】
【請求項１】
調性データを含む曲データを読み出して楽譜上に調号表示する調号表示装置において、
調号の数が１つ違うだけの転調を検出した場合に、その転調した調の調号表示を省略すると共に、調号が作用する音符に対して臨時記号を付加表示する表示調整手段を具備することを特徴とする調号表示装置。
【請求項２】
調性データを含む曲データを読み出して楽譜上に調号表示する調号表示装置において、
関係調への転調を検出した場合に、その転調した調の調号表示を省略すると共に、調号が作用する音符に対して臨時記号を付加表示する表示調整手段を具備することを特徴とする調号表示装置。
【請求項３】
調性データを含む曲データを読み出して楽譜上に調号表示する調号表示装置において、
所定小節数以下の転調区間を検出した場合に、その転調区間の調号表示を省略すると共に、調号が作用する音符に対して臨時記号を付加表示する表示調整手段を具備することを特徴とする調号表示装置。
【請求項４】
調性データを含む曲データを読み出して楽譜上に調号表示させる処理プログラムであって、
調号の数が１つ違うだけの転調を検出した場合に、その転調した調の調号表示を省略すると共に、調号が作用する音符に対して臨時記号を付加表示する表示調整処理をコンピュータで実行させることを特徴とする調号表示処理プログラム。
【請求項５】
調性データを含む曲データを読み出して楽譜上に調号表示させるプログラムであって、
関係調への転調を検出した場合に、その転調した調の調号表示を省略すると共に、調号が作用する音符に対して臨時記号を付加表示する表示調整処理をコンピュータで実行させることを特徴とする調号表示処理プログラム。
【請求項６】
調性データを含む曲データを読み出して楽譜上に調号表示させるプログラムであって、
所定小節数以下の転調区間を検出した場合に、その転調区間の調号表示を省略すると共に、調号が作用する音符に対して臨時記号を付加表示する表示調整処理をコンピュータで実行させることを特徴とする調号表示処理プログラム。
【発明の詳細な説明】
【技術分野】
【０００１】
本発明は、楽譜表示機能を備える電子楽器などに用いて好適な調号表示装置および調号表示処理プログラムに関する。
【背景技術】
【０００２】
曲を構成する各音符を表すＭＩＤＩイベントと、調号および長調／短調を指定する調性メタイベントとを含むＳＭＦ形式の曲データに基づき、調号や必要な音符に自動的に付加した臨時記号を含む楽譜を表示可能にする装置が知られており、この種の装置については、例えば特許文献１に開示されている。
【０００３】
【特許文献１】特開２００２−２６８６３６号公報
【発明の開示】
【発明が解決しようとする課題】
【０００４】
ところで、上記特許文献１に開示の装置のように、曲データ中の調性メタイベントに従って調号を楽譜上に表示するものでは、例えば曲データが頻繁に転調するような調性メタイベントを備えていると、転調する毎に調号を楽譜上に表示させてしまうため、音楽的には正しいが視覚的に見にくい楽譜として表示されてしまう、という問題がある。
そこで本発明は、このような事情に鑑みてなされたもので、楽譜が見易くなるように調号を表示することができる調号表示装置および調号表示処理プログラムを提供することを目的としている。
【課題を解決するための手段】
【０００５】
上記目的を達成するため、請求項１に記載の発明では、調性データを含む曲データを読み出して楽譜上に調号表示する調号表示装置において、
調号の数が１つ違うだけの転調を検出した場合に、その転調した調の調号表示を省略すると共に、調号が作用する音符に対して臨時記号を付加表示する表示調整手段を具備することを特徴とする。
【０００６】
請求項２に記載の発明では、調性データを含む曲データを読み出して楽譜上に調号表示する調号表示装置において、関係調への転調を検出した場合に、その転調した調の調号表示を省略すると共に、調号が作用する音符に対して臨時記号を付加表示する表示調整手段を具備することを特徴とする。
【０００７】
請求項３に記載の発明では、調性データを含む曲データを読み出して楽譜上に調号表示する調号表示装置において、所定小節数以下の転調区間を検出した場合に、その転調区間の調号表示を省略すると共に、調号が作用する音符に対して臨時記号を付加表示する表示調整手段を具備することを特徴とする。
【０００８】
請求項４に記載の発明では、調性データを含む曲データを読み出して楽譜上に調号表示させる処理プログラムであって、調号の数が１つ違うだけの転調を検出した場合に、その転調した調の調号表示を省略すると共に、調号が作用する音符に対して臨時記号を付加表示する表示調整処理をコンピュータで実行させることを特徴とする。
【０００９】
請求項５に記載の発明では、調性データを含む曲データを読み出して楽譜上に調号表示させるプログラムであって、関係調への転調を検出した場合に、その転調した調の調号表示を省略すると共に、調号が作用する音符に対して臨時記号を付加表示する表示調整処理をコンピュータで実行させることを特徴とする。
【００１０】
請求項６に記載の発明では、調性データを含む曲データを読み出して楽譜上に調号表示させるプログラムであって、所定小節数以下の転調区間を検出した場合に、その転調区間の調号表示を省略すると共に、調号が作用する音符に対して臨時記号を付加表示する表示調整処理をコンピュータで実行させることを特徴とする。
【発明の効果】
【００１１】
請求項１、４に記載の発明によれば、調号の数が１つ違うだけの転調を検出した場合には、その転調した調の調号表示を省略すると共に、調号が作用する音符に対して臨時記号を付加表示するので、楽譜が見易くなるように調号表示することができる。
【００１２】
請求項２、５に記載の発明によれば、関係調への転調を検出した場合に、その転調した調の調号表示を省略すると共に、調号が作用する音符に対して臨時記号を付加表示するので、楽譜が見易くなるように調号表示することができる。
【００１３】
請求項３、６に記載の発明によれば、所定小節数以下の転調区間を検出した場合に、その転調区間の調号表示を省略すると共に、調号が作用する音符に対して臨時記号を付加表示するので、楽譜が見易くなるように調号表示することができる。
【発明を実施するための最良の形態】
【００１４】
以下、図面を参照して本発明の実施形態について説明する。
Ａ．構成
図１は、本発明の実施の一形態である調号表示装置の全体構成を示すブロック図である。この図に示す調号表示装置は、ＣＰＵ１、ＲＯＭ２、ＲＡＭ３、操作部４、表示部５および入力手段６から構成される。ＣＰＵ１は、操作部４が発生するスイッチイベントに応じて装置各部を制御するものであり、その特徴的な処理動作については追って詳述する。ＲＯＭ２は、ＣＰＵ１にロードされる各種制御プログラムを記憶する。各種制御プログラムとは、後述のメインルーチン、調号表示処理、第１調整処理および第２調整処理を含む。
【００１５】
ＲＡＭ３は、データエリアおよびワークエリアを備える。ＲＡＭ３のデータエリアには、後述する入力手段６を介して入力される曲データが格納される。曲データは、曲を構成する各音符を表すＭＩＤＩイベントと、調号および長調／短調を指定する調性メタイベントとを含むＳＭＦ形式で構成される。
ＲＡＭ３のワークエリアには、ＣＰＵ１の処理に用いられる各種レジスタ・フラグデータが一時記憶される。ワークエリアに設けられる主要レジスタの構成を図２に図示する。図２において、レジスタＡｌｌＫｅｙには、曲データ中の調性メタイベントから抽出され、曲全体の調号を表すデータがストアされる。以下、レジスタＡｌｌＫｅｙの内容を曲調号ＡｌｌＫｅｙと記す。
【００１６】
レジスタＭａｘＢａｒには、曲データから抽出され、曲データの総小節数を表すデータがストアされる。以下、レジスタＭａｘＢａｒの内容を総小節数ＭａｘＢａｒと記す。レジスタＫｅｙ［０］〜Ｋｅｙ［ｎ］には、それぞれ曲データの各小節毎の調号を表すデータがストアされる。以下、レジスタＫｅｙ［０］〜Ｋｅｙ［ｎ］の内容を小節調号Ｋｅｙ［０］〜Ｋｅｙ［ｎ］と記す。レジスタＤｓｐＫｅｙ［０］〜ＤｓｐＫｅｙ［ｎ］には、各小節の表示用調号を表すデータがストアされる。以下、レジスタＤｓｐＫｅｙ［０］〜ＤｓｐＫｅｙ［ｎ］の内容を表示用小節調号ＤｓｐＫｅｙ［０］〜ＤｓｐＫｅｙ［ｎ］と記す。
【００１７】
操作部４は、各種操作スイッチを備え、ユーザのスイッチ操作に応じたスイッチイベントを発生する。この操作部４には、図示されていないが、例えば調号表示する曲データを選択する曲選択スイッチや、後述する入力手段６を介して曲データをＲＡＭ３のデータエリアに格納するよう指示する曲入力スイッチ等が設けられている。表示部５は、ＣＰＵ１から供給される表示制御信号に応じて、曲データを楽譜表示する。入力手段６は、ＣＰＵ１の制御の下に、ＭＩＤＩインタフェースを介して外部装置側から供給されるＳＭＦ形式の曲データをＲＡＭ３のデータエリアに格納する。
【００１８】
Ｂ．動作
次に、図３〜図８を参照して上記構成による実施形態の動作を説明する。以下では、最初に概略動作としてＣＰＵ１が実行するメインルーチンの動作について述べた後、このメインルーチンを構成する調号表示処理、第１調整処理および第２調整処理の各動作を説明する。
【００１９】
（１）メインルーチンの動作
装置電源の投入に応じて、ＣＰＵ１は図５に図示するメインルーチンを実行してステップＳＡ１に処理を進め、ＲＡＭ３のワークエリアに設けられる各種レジスタをイニシャライズする初期化処理を行う。次いで、ステップＳＡ２では、入力手段６を介して曲データを取込み、ＲＡＭ３のデータエリアに格納する。また、ステップＳＡ２では、ＲＡＭ３のデータエリアに格納した曲データから曲調号ＡｌｌＫｅｙ、総小節数ＭａｘＢａｒおよび小節調号Ｋｅｙ［０］〜Ｋｅｙ［ｎ］を抽出してＲＡＭ３のワークエリアにストアする。
【００２０】
続いて、ステップＳＡ３では、楽譜が見易くなるように調号表示する調号表示処理（後述する）を実行する。この後、ステップＳＡ４に進み、例えば操作部４に設けられる曲入力スイッチの操作に応じて、新たな曲データをＲＡＭ３のデータエリアに格納するよう指示する等の、その他の処理を実行する。そして、ステップＳＡ５では、次の曲データの読み込みが指示されるまで待機し、上述した曲入力スイッチの操作により新たな曲データの読み込みが指示されると、判断結果が「ＹＥＳ」となり、上述のステップＳＡ２に処理を戻す。以後、上述したステップＳＡ２〜ＳＡ５を繰り返す。
【００２１】
（２）調号表示処理の動作
次に、図４を参照して調号表示処理の動作を説明する。上述したメインルーチンのステップＳＡ３（図３参照）を介して本処理が実行されると、ＣＰＵ１は図４に図示するステップＳＢ１に進み、曲データ中の小節を指定する小節番号ｉをゼロリセットする。次いで、ステップＳＢ２では、メインルーチンのステップＳＡ２（図３参照）において曲データから抽出した小節調号Ｋｅｙの内、小節番号ｉで指定される小節調号Ｋｅｙ［ｉ］を表示用小節調号ＤｓｐＫｅｙ［ｉ］にコピーする。そして、ステップＳＢ３では、小節番号ｉをインクリメントして歩進させ、続くステップＳＢ４では、歩進された小節番号ｉが総小節数ＭａｘＢａｒを超えていないかどうかを判断する。
【００２２】
小節番号ｉが総小節数ＭａｘＢａｒを超えていなければ、判断結果は「ＹＥＳ」になり、ステップＳＢ５を介して第１調整処理を実行する。第１調整処理では、後述するように、調号の数（シャープ又はフラットの数）が１つ違う調への転調であるか否かを判断し、前小節と現小節との関係がそうした転調関係にある場合に、現小節の調号を前小節の調号のままにする処理である。そして、第１調整処理が完了すると、ＣＰＵ１は上述のステップＳＢ２に処理を戻し、以後、小節番号ｉが総小節数ＭａｘＢａｒを超えるまでステップＳＢ２〜ＳＢ５を繰り返す。
【００２３】
このように、ステップＳＢ２〜ＳＢ５では、小節番号ｉの歩進に応じてＲＡＭ３のワークエリアから読み出される曲頭の小節から曲終端の小節までの各小節調号Ｋｅｙ［ｉ］を、それぞれ対応する表示用小節調号ＤｓｐＫｅｙ［ｉ］にコピーするが、その際に現小節の小節調号Ｋｅｙ［ｉ］が前小節の小節調号Ｋｅｙ［ｉ−１］に対して調号の数（シャープ又はフラットの数）が１つ違う調への転調である場合にのみ、現小節ｉに対応する表示用小節調号ＤｓｐＫｅｙ［ｉ］に、前小節ｉ−１の小節調号Ｋｅｙ［ｉ−１］をストアするようになっている。
【００２４】
そして、歩進された小節番号ｉが総小節数ＭａｘＢａｒを超えると、ステップＳＢ４の判断結果が「ＮＯ」になり、ステップＳＢ６を介して第２調整処理を実行する。第２調整処理では、後述するように、所定小節数ＣＶａｌ以下の転調である場合に、その転調区間の表示用小節調号ＤｓｐＫｅｙを曲調号ＡｌｌＫｅｙに設定する処理である。
こうした第２調整処理が完了すると、ＣＰＵ１はステップＳＢ７に進み、曲データを参照して曲を構成する各音符を楽譜として表示部５に画面表示すると共に、表示用小節調号ＤｓｐＫｅｙ［０］〜［ＭａｘＢａｒ］を参照して、画面表示された楽譜中に調号を表示する表示処理を実行する。
【００２５】
具体的には、表示用小節調号ＤｓｐＫｅｙ［０］〜［ＭａｘＢａｒ］を参照し、現小節ｉの表示用小節調号ＤｓｐＫｅｙ［ｉ］と前小節ｉ−１の表示用小節調号ＤｓｐＫｅｙ［ｉ−１］とを比較し、両者が同じであれば、現小節ｉの表示用小節調号ＤｓｐＫｅｙ［ｉ］による調号表示を省略（非表示）する。
また、調号表示を省略（非表示）した小節では、対応する小節調号Ｋｅｙ［ｉ］とその小節中の各音符の音高とを勘案し、必要な音符に臨時記号（シャープ／フラット／ナチュラル）を付加して表示する。
【００２６】
（３）第１調整処理の動作
次に、図５〜図６を参照して第１調整処理の動作を説明する。上述した調号表示処理のステップＳＢ５（図４参照）を介して本処理が実行されると、ＣＰＵ１は図５に図示するステップＳＣ１に進み、前小節の小節調号Ｋｅｙ［ｉ−１］から「１」を減算した値が現小節の小節調号Ｋｅｙ［ｉ］に一致するか、あるいは前小節の小節調号Ｋｅｙ［ｉ−１］に「１」を加算した値が現小節の小節調号Ｋｅｙ［ｉ］に一致するかを判断する。つまり、調号の数（シャープ又はフラットの数）が１つ違う調への転調であるかどうかを判断する。
【００２７】
例えば、図６（ａ）に図示する楽譜で表現するように、第１小節の調号Ａの調から第２小節の調号Ｂの調への転調の場合には、調号の数（シャープの数）が１つ違う調への転調となるので、上記ステップＳＣ１の判断結果は「ＹＥＳ」になり、ステップＳＣ２に進み、前小節の小節調号Ｋｅｙ［ｉ−１］を現小節の小節調号Ｋｅｙ［ｉ］に設定して本処理を終える。
これに対し、前小節から現小節で転調しない場合や、調号の数（シャープ又はフラットの数）が２つ以上違う調への転調の場合には、上記ステップＳＣ１の判断結果が「ＮＯ」になり、何も行わずに本処理を終える。
【００２８】
したがって、図６（ａ）に図示した楽譜で示される転調の場合、上述した調号表示処理において、第２小節の表示用小節調号ＤｓｐＫｅｙ［１］に、第１小節の小節調号Ｋｅｙ［０］をストアして調号表示するので、図６（ｂ）に図示するように、第２小節の調号が省かれ、その代わりに第２小節第２音目のＡ２音に臨時記号（シャープ）を付加した楽譜として表示される。
このように、前小節と現小節との関係が調号の数が１つ違うだけの調性感の変化が少ない転調であれば、現小節の調号を省き、その代わりに現小節中で必要な音符に臨時記号を付加するようにしたので、楽譜が見易くなるように調号を表示することが可能になっている。
【００２９】
（４）第２調整処理の動作
次に、図７〜図８を参照して第２調整処理の動作を説明する。上述した調号表示処理のステップＳＢ６（図４参照）を介して本処理が実行されると、ＣＰＵ１は図７に図示するステップＳＤ１に進み、小節番号ｉおよび転調小節数を計数するカウンタＣｏｕｎｔをゼロリセットする。次いで、ステップＳＤ２では、小節番号ｉで指定される小節調号Ｋｅｙ［ｉ］が曲調号ＡｌｌＫｅｙに一致するか否か、すなわち転調の有無を判断する。転調した場合には、判断結果が「ＮＯ」になり、ステップＳＤ３に進む。ステップＳＤ３では、転調小節数を計数するカウンタＣｏｕｎｔをインクリメントして歩進させ、続くステップＳＤ４では、小節番号ｉをインクリメントして歩進させる。
【００３０】
そして、ステップＳＤ５に進むと、歩進された小節番号ｉが総小節数ＭａｘＢａｒを超えたか否かを判断する。総小節数ＭａｘＢａｒを超えていなければ、判断結果は「ＮＯ」となり、上述のステップＳＤ２に戻り、再び転調の有無を判断する。ここで、転調せずに小節調号Ｋｅｙ［ｉ］が曲調号ＡｌｌＫｅｙに一致すると、上記ステップＳＤ２の判断結果が「ＹＥＳ」になり、ステップＳＤ６に進む。ステップＳＤ６では、カウンタＣｏｕｎｔの値が「０」より大であるか否か、すなわち転調を検出したかどうかを判断する。
【００３１】
転調を検出していなければ、判断結果は「ＮＯ」となり、ステップＳＤ７に進み、小節番号ｉが総小節数ＭａｘＢａｒを超えたか否かを判断する。全ての小節について転調検出し終えていなければ、判断結果が「ＮＯ」になり、上述のステップＳＤ４に処理を戻して小節番号ｉを歩進させて転調検出を継続させる。
一方、転調を検出していれば、上記ステップＳＤ６の判断結果が「ＹＥＳ」になり、ステップＳＤ８に進む。ステップＳＤ８では、転調小節数が所定値ＣＶａｌ以下であるか否かを判断する。転調小節数が所定値ＣＶａｌより大きければ、判断結果は「ＮＯ」となり、ステップＳＤ９に進み、カウンタＣｏｕｎｔをゼロリセットする。この後、上述のステップＳＤ７に処理を戻して転調検出を継続させる。
【００３２】
これに対し、転調した小節数が所定値ＣＶａｌ以下であると、上記ステップＳＤ８の判断結果が「ＹＥＳ」となり、ステップＳＤ１０に進み、前小節番号ｉ−１をレジスタｋにストアする。ここで、現小節を指定する小節番号ｉは、転調から曲全体の調に戻った小節を指定している。したがって、小節番号ｉから「１」を減算した前小節番号ｉ−１を格納するレジスタｋは、曲全体の調（曲調号ＡｌｌＫｅｙ）に戻る前の最後の転調小節を指定する。
【００３３】
次いで、ステップＳＤ１１〜ＳＤ１３では、レジスタｋおよびカウンタＣｏｕｎｔをデクリメントすることによって、曲全体の調に戻る前の最後の転調小節から転調区間の小節を遡りながら、その転調区間の表示用小節調号ＤｓｐＫｅｙ［ｋ］に曲調号ＡｌｌＫｅｙをストアする。これにより、所定小節数ＣＶａｌ以下の転調である場合には、その転調区間の表示用小節調号ＤｓｐＫｅｙ［ｋ］に曲調号ＡｌｌＫｅｙが設定される。そして、曲全体の調に戻る前の最後の転調小節から転調区間の小節を遡り終えると、ステップＳＤ１３の判断結果が「ＹＥＳ」となり、前述のステップＳＤ７に処理を戻す。
以後、全ての小節について転調検出し終える迄は、ステップＳＤ７の判断結果が「ＮＯ」になり、転調検出を継続させ、そして、全ての小節について転調検出し終えると、ステップＳＤ７の判断結果が「ＹＥＳ」になり、本処理を完了させる。
【００３４】
したがって、例えば図８（ａ）に図示する楽譜で表現される曲データに対し、所定値ＣＶａｌを「２小節」として第２調整処理を実行した場合には、複縦線で区切られた転調区間Ａを検出するが、この区間Ａは所定値ＣＶａｌ（２小節）以下なので、当該区間Ａを構成する第２および第３小節の表示用小節調号ＤｓｐＫｅｙ［ｋ］をそれぞれ曲調号ＡｌｌＫｅｙに設定する。
これにより、同図（ｂ）に図示するように、第２小節における転調の調号が省かれ、それに応じて第２、第３小節のＣ３音およびＦ３音にそれぞれ臨時記号（シャープ）を付加すると共に、転調の調号を省いたことに対応して第４小節の本位記号（ナチュラル）を廃した楽譜となる為、楽譜が見易くなるように調号を表示することが可能になっている。
【００３５】
以上説明したように、本実施形態では、曲データ中に含まれ、調号および長調／短調を指定する調性メタイベントに従って調号を楽譜上に表示する際に、調号の数が１つ違うだけの、調性感の変化が少ない転調の時には、その調号の表示を省略する。また、所定小節数以下の短い転調区間では、その区間を曲全体の調号にして転調の調号の表示を省略したりするので、音楽的には厳密性を欠くものの、楽譜が見易くなるように調号表示することができる。
【００３６】
なお、本実施形態では、前小節と現小節とで調号の数が１つ違うだけの、調性の変化が少ない転調の時に現小節の調号を省くようにしたが、これに限らず、主調から平行調や属調あるいは下属調等に転調する関係調（近親調）への転調の場合にも調号を省くようにしても構わない。この場合も調性の変化が少なく音楽的に違和感を与えることなく調号表示を簡略化するから、楽譜が見易くなるように調号を表示することができる。
【００３７】
また、本実施形態では、所定小節数以下の転調では、その転調区間の調号を曲全体の調号にするようにしたが、これに替えて、転調した小節の１つ前の小節と同じ調として、転調した小節の調号表示を省く態様としてもよい。
さらに、上述した実施形態では、調性メタイベントを含むＳＭＦ形式の曲データに基づき調号表示する一例について述べたが、本発明の要旨はこれに限定されず、調性メタイベントを含まないＳＭＦ形式の曲データに調判定を施し、判定された調に従って調号表示する態様であっても適用可能である。
【図面の簡単な説明】
【００３８】
【図１】本発明による実施の一形態の構成を示すブロック図である。
【図２】ＲＡＭ３のワークエリアに一時記憶される主要レジスタの構成を示すメモリマップである。
【図３】メインルーチンの動作を示すフローチャートである。
【図４】調号表示処理の動作を示すフローチャートである。
【図５】第１調整処理の動作を示すフローチャートである。
【図６】第１調整処理の動作を説明するための楽譜を示す図である。
【図７】第２調整処理の動作を示すフローチャートである。
【図８】第２調整処理の動作を説明するための楽譜を示す図である。
【符号の説明】
【００３９】
１  ＣＰＵ
２  ＲＯＭ
３  ＲＡＭ
４  操作部
５  表示部
６  入力手段
【図１】
2006106314.tif 000003
【図２】
2006106314.tif 000004
【図３】
2006106314.tif 000005
【図４】
2006106314.tif 000006
【図５】
2006106314.tif 000007
【図６】
2006106314.tif 000008
【図７】
2006106314.tif 000009
【図８】
2006106314.tif 000010
【手続補正書】
【提出日】平成17年6月17日(2005.6.17)
【手続補正１】
【補正対象書類名】図面
【補正対象項目名】図６
【補正方法】変更
【補正の内容】
【図６】
2006106314.tif 000011
【手続補正２】
【補正対象書類名】図面
【補正対象項目名】図８
【補正方法】変更
【補正の内容】
【図８】
2006106314.tif 000012